(57)【要約】【課題】画像表示装置の操作性を向上することのできる画像表示装置の操作補助方法、コンピュータ実行可能な画像操作補助プログラム、および、このプログラムが記録された記録媒体を提供すること。【解決手段】制御基板と、操作キーの種別に応じて機能説明６２を記憶した機能説明テーブル６を有する記憶部とを備えたリアプロジェクタの操作補助方法は、制御基板に、操作キーの入力操作による操作信号を検出する操作信号検出ステップと、操作信号の検出回数を、操作キーの種別に応じて機能説明テーブル６に記憶させる検出回数記憶ステップと、検出回数Ｎに基づいて、操作キーに応じた操作頻度序列を設定する序列設定ステップと、操作頻度序列に基づいて、機能説明テーブル６から各操作キーの機能説明６２を取得して表示画面上に表示させる機能説明表示ステップとを実行させる。【選択図】図４
2006323603.tif 000002
【特許請求の範囲】
【請求項１】
入力する画像情報に基づいて画像を表示する画像表示手段と、複数の操作キーを有し、当該操作キーの入力操作に応じて操作信号を出力する操作手段と、装置本体の駆動制御を行う制御手段とを備えた画像表示装置の操作補助方法であって、
前記制御手段は、前記操作キーの種別に応じて機能説明を記憶した機能説明テーブルを有する記憶部を備え、
前記制御手段に、
前記複数の操作キーのうちいずれかの操作キーの入力操作により、前記操作手段から出力された操作信号を検出する操作信号検出ステップと、
前記操作信号の検出回数を、前記操作キーの種別に応じて前記機能説明テーブルに記憶させる検出回数記憶ステップと、
前記検出回数に基づいて、前記操作キーに応じた操作頻度序列を設定する序列設定ステップと、
前記操作頻度序列に基づいて、前記機能説明テーブルから各操作キーの機能説明を取得して前記画像表示手段に表示させる機能説明表示ステップとを実行させることを特徴とする画像表示装置の操作補助方法。
【請求項２】
請求項１に記載の画像表示装置の操作補助方法において、
前記序列設定ステップでは、前記操作キーに応じた操作頻度序列を、操作頻度の少ない操作キーを上位として設定することを特徴とする画像表示装置の操作補助方法。
【請求項３】
請求項１または請求項２に記載の画像表示装置の操作補助方法において、
前記記憶部は、前記画像表示手段に表示される表示画面に応じた複数の機能説明テーブルを有し、
前記機能説明表示ステップは、前記表示画面が遷移すると、遷移後の表示画面に応じた機能説明テーブルを探索する手順と、
探索された前記機能説明テーブルに基づいて、前記操作頻度序列に応じた前記操作キーの機能説明を取得して前記画像表示手段に表示させる手順とを備えていることを特徴とする画像表示装置の操作補助方法。
【請求項４】
請求項１〜請求項３のいずれかに記載の画像表示装置の操作補助方法において、
前記機能説明テーブルに記憶される前記検出回数の初期値は、前記画像表示手段に表示される表示画面で操作可能な操作キーの重要度に応じて設定されていることを特徴とする画像表示装置の操作補助方法。
【請求項５】
請求項１〜請求項４のいずれかに記載の画像表示装置の操作補助方法において、
前記操作手段上の前記操作キーのレイアウトに基づいた画像を形成し、前記画像表示手段に表示された表示画面で操作可能な操作キーを、前記画像表示手段に表示させる有効操作キー表示ステップを備えていることを特徴とする画像表示装置の操作補助方法。
【請求項６】
入力する画像情報に基づいて画像を表示する画像表示手段と、複数の操作キーを有し、当該操作キーの入力操作に応じて操作信号を出力する操作手段と、装置本体の駆動制御を行う制御手段とを備えた画像表示装置の操作を補助するためのコンピュータ実行可能な操作補助プログラムであって、
前記制御手段は、前記操作キーの種別に応じて機能説明を記憶した機能説明テーブルを有する記憶部を備え、
前記制御手段に、
前記複数の操作キーのうちいずれかの操作キーの入力操作により、前記操作手段から出力された操作信号を検出する操作信号検出ステップと、
前記操作信号の検出回数を、前記操作キーの種別に応じて前記機能説明テーブルに記憶させる検出回数記憶ステップと、
前記検出回数に基づいて、前記操作キーに応じた操作頻度序列を設定する序列設定ステップと、
前記操作頻度序列に基づいて、前記機能説明テーブルから各操作キーの機能説明を取得して前記画像表示手段に表示させる機能説明表示ステップとを実行させることを特徴とする画像表示装置の操作補助プログラム。
【請求項７】
請求項６に記載の操作補助プログラムが記録されたことを特徴とするコンピュータ読取可能な記録媒体。
【発明の詳細な説明】
【技術分野】
【０００１】
本発明は、画像表示装置の操作補助方法、コンピュータ実行可能な操作補助プログラム、および、この操作補助プログラムが記録されたコンピュータ読取可能な記録媒体に関する。
【背景技術】
【０００２】
従来、テレビ受信機等の画像表示装置は、装置筐体やリモートコントローラ等に配設された複数の操作キーを操作することによって制御することができる。
しかし、近年、画像表示装置には新機能が次々と搭載されており、それに応じて、操作キーの種類が増加し操作方法も複雑化しつつある。
【０００３】
これに対し、操作キーの操作前にその機能説明をユーザに提供するという画像表示装置の操作方式が開示されている（例えば、特許文献１）。特許文献１に記載のディジタルカメラは、当該ディジタルカメラに設けられた液晶表示部に操作キーとしての仮想ボタンが複数表示されている。ユーザは、これら複数の仮想ボタンを、装置筐体に設けられたカーソルキーを操作して選択する。ある１つの仮想ボタンが選択されると、液晶表示部には、当該仮想ボタンの機能説明が表示される。ユーザは、この機能説明を見て当該仮想ボタンの操作を理解し、実行するか否かの判断を行うことができる。
【０００４】
【特許文献１】特開２００２−８４４３９号公報
【発明の開示】
【発明が解決しようとする課題】
【０００５】
しかしながら、特許文献１に記載の画像表示装置の操作方式では、ユーザに選択された仮想ボタンのみの機能説明を表示している。このため、ユーザが例えば複数の仮想ボタンの各機能が知りたい際には、ユーザは、その１つ１つを選択し機能説明を表示させていかなければならず、操作が煩雑となる。
【０００６】
他にも、画像表示装置では、画面における画像表示領域を極力広くしたいという考えがあるため、すなわち、操作キーの機能説明の表示領域はなるべく狭くする必要がある。しかし、狭い表示領域では、内容を十分に表示させることができない恐れがあり、ユーザが操作キーの機能を理解しにくいという課題が生じる。
【０００７】
本発明の目的は、画像表示装置の操作性を向上することのできる画像表示装置の操作補助方法、コンピュータ実行可能な操作補助プログラム、および、このプログラムが記録されたコンピュータ読取可能な記録媒体を提供することである。
【課題を解決するための手段】
【０００８】
前記した目的を達するために、本発明の画像表示装置の操作補助方法は、入力する画像情報に基づいて画像を表示する画像表示手段と、複数の操作キーを有し、当該操作キーの入力操作に応じて操作信号を出力する操作手段と、装置本体の駆動制御を行う制御手段とを備えた画像表示装置の操作補助方法であって、前記制御手段は、前記操作キーの種別に応じて機能説明を記憶した機能説明テーブルを有する記憶部を備え、前記制御手段に、前記複数の操作キーのうちいずれかの操作キーの入力操作により、前記操作手段から出力された操作信号を検出する操作信号検出ステップと、前記操作信号の検出回数を、前記操作キーの種別に応じて前記機能説明テーブルに記憶させる検出回数記憶ステップと、前記検出回数に基づいて、前記操作キーに応じた操作頻度序列を設定する序列設定ステップと、前記操作頻度序列に基づいて、前記機能説明テーブルから各操作キーの機能説明を取得して前記画像表示手段に表示させる機能説明表示ステップとを実行させることを特徴とする。
【０００９】
本発明によれば、操作者が画像表示装置を使用していくなかで検出される操作信号の検出回数が、機能説明テーブルに種別ごとに記憶される。このため、機能説明テーブルに記憶される検出回数は、随時更新されることになる。
さらに、この機能説明テーブルに記憶された検出回数に基づいて操作キーの操作頻度序列が設定され、この操作頻度序列に基づいて操作キーの機能説明が取得される。この取得された機能説明は、画像表示手段に表示される。すなわち、画像表示手段には、操作者のこれまでの使用状況に即して、操作キーの機能説明が動的に変動して表示されることとなる。
従って、本発明によれば、操作者の使用状況に即した操作補助を提供することができるので、画像表示装置の操作性を向上させることができる。
【００１０】
さらに、操作頻度序列の上位から表示された操作キーの機能説明は、操作者が知りたい操作キーの機能説明と対応していると考えられる。このため、操作者は、次に行うべき操作を理解しやすくなる。従って、本発明によれば、効果的な操作補助を提供することができる。
【００１１】
また、例えば、操作頻度序列の上位から数個の操作キーの機能説明のみを表示することにより、機能説明が画像表示手段上で占めるスペースを縮小することができる。言い換えれば、機能説明を表示するために画像表示手段上で許されたスペースが狭い場合であっても、そのスペースに、操作頻度序列の上位から数個の操作キーの機能説明を表示することによって、狭い表示スペースであっても有効な操作補助を提供することができる。
【００１２】
本発明では、前記序列設定ステップでは、前記操作キーに応じた前記操作頻度序列を、操作頻度の少ない操作キーを上位として設定することを特徴とすることが好ましい。
本発明によれば、画像表示手段には、操作頻度の少ない操作キーの機能説明が表示される。操作頻度の少ない操作キーとは、すなわち、操作者にとって操作経験の少ない操作キーであるので、操作者は、当該操作キーの機能を理解していない可能性が考えられる。これに対し、本発明では、操作者がその機能を理解していない可能性のある操作キーの機能説明を表示することから、操作者に対して有効な操作補助を提供することができる。従って、画像表示装置の操作性をより向上させることができる。
【００１３】
本発明では、前記記憶部は、前記画像表示手段に表示される表示画面に応じた複数の機能説明テーブルを有し、前記機能説明表示ステップは、前記表示画面が遷移すると、遷移後の表示画面に応じた機能説明テーブルを探索する手順と、探索された前記機能説明テーブルに基づいて、前記操作頻度序列に応じた前記操作キーの機能説明を取得して前記画像表示手段に表示させる手順とを備えていることが好ましい。
【００１４】
本発明によれば、記憶部は、前記画像表示手段に表示される表示画面毎に機能説明テーブルを備えている。そして、表示画面が遷移する度に、次に表示される表示画面の機能説明テーブルが探索され、探索された機能説明テーブルに記憶されている検出回数に基づいて、操作キーの機能説明が取得されることになる。
従って、本発明では、表示画面の種別に応じた操作補助を提供することができる。すなわち、操作者に対し、より細かな操作補助を提供することができるので、画像表示装置の操作性をより向上させることができる。
【００１５】
本発明では、前記機能説明テーブルに記憶される前記検出回数の初期値は、前記画像表示手段に表示される表示画面で操作可能な操作キーの重要度に応じて設定されていることが好ましい。
本発明によれば、説明記録テーブルは、画像表示手段に表示される表示画面毎に設けられている。さらに、説明記録テーブルに記憶される各操作キーの検出回数の初期値は、当該説明記録テーブルに対応した表示画面における各操作キーの重要度に応じて設定されている。
そして、操作者が画像表示装置を使用していくうちに、各説明記録テーブルに記憶される検出回数は随時更新されていく。しかし、初期値を重要度に基づいて設定したことにより、使用初期において、各説明記録テーブルに記憶される検出回数には、重要度が反映される。
すなわち、操作者が画像表示装置の使用に慣れていない使用初期において、操作者にとって重要な操作キーの機能説明を、表示画面毎に表示することができる。従って、画像表示装置の使用初期において、その操作性をより向上させることができる。
【００１６】
本発明では、前記操作手段上の前記操作キーのレイアウトに基づいた画像を形成し、前記画像表示手段に表示された表示画面で操作可能な操作キーを、前記画像表示手段に表示させる有効操作キー表示ステップを備えていることが好ましい。
本発明によれば、画像表示手段には、操作手段上の操作キーのレイアウトに基づいた画像が表示され、さらに、現在の表示画面において操作可能な操作キーが表示されている。
このため、操作者は、画像表示手段に表示された操作キーの画像をもとに、操作手段上の操作キーの配置を確認することができ、さらに、操作手段上の操作キーのうち操作可能な操作キーを把握することができる。
従って、操作者に対し、操作手段上の操作キーを操作させやすくすることができる。
【００１７】
また、本発明は、操作補助方法の発明を画像表示装置上で実行させるプログラムとしても構成することができる。すなわち、本発明の操作補助プログラムは、入力する画像情報に基づいて画像を表示する画像表示手段と、複数の操作キーを有し、当該操作キーの入力操作に応じて操作信号を出力する操作手段と、装置本体の駆動制御を行う制御手段とを備えた画像表示装置の操作を補助するためのコンピュータ実行可能な操作補助プログラムであって、前記制御手段は、前記操作キーの種別に応じて機能説明を記憶した機能説明テーブルを有する記憶部を備え、前記制御手段に、前記複数の操作キーのうちいずれかの操作キーの入力操作により、前記操作手段から出力された操作信号を検出する操作信号検出ステップと、前記操作信号の検出回数を、前記操作キーの種別に応じて前記機能説明テーブルに記憶させる検出回数記憶ステップと、前記検出回数に基づいて、前記操作キーに応じた操作頻度序列を設定する序列設定ステップと、前記操作頻度序列に基づいて、前記機能説明テーブルから各操作キーの機能説明を取得して前記画像表示手段に表示させる機能説明表示ステップとを実行させることを特徴とする。
【００１８】
本発明によれば、本発明をプログラムとして構成することにより、任意の画像表示装置を、前述した作用および効果を享受できる画像表示装置とすることができるので、汎用性を拡大することができる。
【００１９】
本発明に係る記録媒体は、前述の操作補助プログラムがコンピュータ読取可能に記録されたことを特徴とする。
ここで、記録媒体として、ＲＯＭ（Read Only Memory）、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等が挙げられる。
本発明によれば、記録媒体にコンピュータ読取可能に記録された操作方法補助プログラムをコンピュータが実行することで、前述した作用および効果を享受できる。
【発明を実施するための最良の形態】
【００２０】
本発明の一実施形態では、画像表示装置としてリアプロジェクタを採用する。
本実施形態のリアプロジェクタ１は、リアプロジェクタ１に入力する画像情報に応じて光学像を形成し、形成した光学像をリアプロジェクタ１に設けられた透光性のスクリーン１１に拡大投射するものである。
〔１．リアプロジェクタ１の外観構成〕
図１は、本実施形態に係るリアプロジェクタ１、および、その周辺機器を示す模式斜視図である。
リアプロジェクタ１には、図１に示すように、リアプロジェクタ１の遠隔操作を行う操作手段としてのリモートコントローラ２が設けられており、さらに、メモリカード３が電気的に接続されている。
リアプロジェクタ１の外観構成は、筐体形状を有し、スクリーン１１と、操作パネル１２と、カードスロット１４と、無線受信部１５とを備えている。
【００２１】
スクリーン１１は、前記筐体正面に露出して設けられており、後述する光学エンジン４から射出された光学像が拡大投射される。スクリーン１１は、フレネルレンズシート、レンチキュラーレンズシート、ガラス板等の保護板（図示省略）を備えて構成されている。
操作パネル１２は、前記筐体正面のスクリーン１１の下方に設けられ、電源キーおよび音量調節キー等の複数の操作キー１３が設けられている。操作パネル１２は、操作キー１３の入力操作に応じたデジタル形式の操作信号を、後述する制御基板５に出力する。
カードスロット１４は、メモリカード３をリアプロジェクタ１に電気的に接続させることができる。メモリカード３には画像情報が格納されており、この画像情報は、カードスロット１４を介して、後述する制御基板５に出力される。
無線受信部１５は、リモートコントローラ２から送信された無線を受信し、デジタル形式の操作信号に変換して後述する制御基板５に出力する。
【００２２】
図２は、リモートコントローラ２を示す模式平面図である。
リモートコントローラ２は、リアプロジェクタ１を遠隔操作するものであり、リアプロジェクタ１とは無線ＬＡＮ（Local Area Network）等による無線通信を行う。
具体的には、リモートコントローラ２は、操作パネル２１と、無線送信部２２とを備えている。操作パネル２１は、複数の操作キー２３を備えており、これら操作キー２３の操作に応じた操作信号を無線送信部２２に出力する。無線送信部２２は、操作パネル２１から出力された操作信号を無線に変換し、リアプロジェクタ１の無線受信部１５に向けて送信する。
【００２３】
操作キー２３は、図２に示すように、電源キー２３１と、テンキー２３２と、上下左右キー２３３と、Ｅｎｔｅｒキー２３４と、プレイヤキー２３５と、Ｍｅｎｕキー２３６と、Ｅｘｉｔキー２３７等とが備えらえている。また、テンキー２３２の一部は、画像編集キー２３８であるＰｒｉｎｔキー２３９、Ｒｏｔａｔｅキー２４０、Ｚｏｏｍキー２４１、Ｓｏｒｔキー２４２としての機能も割り当てられている。
【００２４】
〔２．リアプロジェクタ１の内部構成〕
図３は、リアプロジェクタ１の内部構成を示すブロック図である。
リアプロジェクタ１は、図３に示すように、前述した操作パネル１２と、無線受信部１５と、画像表示手段としての光学エンジン４と、制御手段としての制御基板５とを内部に備えている。
光学エンジン４は、光源ランプ４１と、制御基板５から入力する画像情報に応じて、光源ランプ４１から射出された光束を変調し光学像を形成する液晶パネル４２と、形成された光学像を拡大投射する投射レンズ４３とを備えている。
【００２５】
〔2-1．制御基板５の構成〕
制御基板５は、回路基板として構成され、図３に示すように、ＣＰＵ（Central Processing Unit）５１と、記憶部としてのＦＲＯＭ（Flash Read Only Memory）５２と、ＲＡＭ（Random Access Memory）５３と、液晶パネル制御部５４とを備えている。
このうち、液晶パネル制御部５４は、ＣＰＵ５１より入力する画像情報に基づいて、光学エンジン４の液晶パネル４２を駆動する。すると、光学エンジン４では、光源ランプ４１から出力された光束が、液晶パネル４２によって変調され、前記画像情報に応じた光学像が形成される。
【００２６】
また、ＦＲＯＭ５２は、ＣＰＵ５１によって処理されるプログラムや各種データが格納されている。具体的には、ＦＲＯＭ５２には、リアプロジェクタ制御プログラムや、操作補助プログラムを包括する画像再生ビューアプログラム、後述する機能説明テーブル６（図４，図５）等が格納されている。
ＲＡＭ５３は、ＣＰＵ５１の作業メモリとして利用され、各種データが一時的に記憶される。具体的には、後述する一時検出回数αが記憶される。
【００２７】
ＦＲＯＭ５２に格納された機能説明テーブル６について説明する。
図４は、後述する画像再生ビューア７のサムネイル表示画面７Ａ（図７）に対応する機能説明テーブル６Ａを説明するための模式図である。
機能説明テーブル６Ａは、サムネイル表示画面７Ａ（図７）がスクリーン１１上に表示されている際に操作可能である操作キー６１と、各操作キー６１の機能説明６２と、各操作キー６１のこれまでの検出回数Ｎとをそれぞれ対応させて記録している。
なお、各操作キー６１のこれまでの検出回数Ｎとは、リアプロジェクタ１の使用開始から現時点までにおいて、スクリーン１１上にサムネイル表示画面７Ａが表示されている間に、各操作キー６１の操作信号が検出された回数を示す。
この機能説明テーブル６は、画像再生ビューア７の画面の種別毎に対応している。
【００２８】
図５に、初期化状態のサムネイル表示画面７Ａ（図７）の機能説明テーブル６Ｂを示す。
初期化状態の機能説明テーブル６Ｂでは、図５に示すように、Ｐｒｉｎｔキー６１１およびＭｅｎｕキー６１４の検出回数の初期値Ｎ０に負の値が設定されている。
これは、重要度が高い操作キー（例えば、操作者にとって理解し難い操作キー、もしくは、操作頻度が比較的高い操作キー）の検出回数の初期値Ｎ０に負の値を設定しておくことによって、リアプロジェクタ１の使用初期において、当該操作キーを操作頻度序列の上位に抽出させる狙いがある。
【００２９】
このように、重要度の高い操作キーを操作頻度序列の上位に抽出させることによって、使用初期において当該操作キーの機能説明が優先的に表示される。これにより、リアプロジェクタ１の操作に不慣れな操作者に対して、機能説明による操作補助を有効的に提供することができる。
なお、逆に、重要度の低い操作キー６１には、検出回数の初期値Ｎ０に正の値を設定しておくことも考えられる。
【００３０】
〔2-2．ＣＰＵ５１の構成〕
図６は、ＣＰＵ５１の構成を示すブロック図である。
ＣＰＵ５１は、図６に示すように、画像処理部５１１と、検出回数処理部５１２と、操作信号検出部５１３とを備えている。
このうち、操作信号検出部５１３は、入力操作が行われた操作キー１３，２３に応じて操作パネル１２，２１が出力する操作信号を検出し、当該操作キー１３，２３が操作可能であるか否か、具体的には、ＣＰＵ５１が当該操作信号に応じた処理を実行可能か否かを判定する。
当該操作キー２３が操作可能であると判定された場合、操作信号検出部５１３は、その操作信号に応じた処理の実行を各処理部に命じる。
【００３１】
検出回数処理部５１２は、各操作キー２３の検出回数に応じて、ＦＲＯＭ５２に格納された機能説明テーブル６を更新する。検出回数処理部５１２は、検出回数加算部５１６と、検出回数記録部５１７とを備えている。
検出回数加算部５１６は、スクリーン１１上に表示された画像再生ビューア７（図７）のある表示画面において、当該表示画面が次画面に遷移されるまでに、操作信号検出部５１３が、ある操作キー２３の操作信号を何回検出したか（一時検出回数α）を計算する。さらに、検出回数加算部５１６は、算出した一時検出回数αを、ＲＡＭ５２に記憶させる。
【００３２】
なお、画像再生ビューア７とは、画像情報に基づいた画像の表示、編集および印刷等を行うための画像表示用画面である。画像再生ビューア７は、サムネイル表示画面、拡大表示画面、印刷設定画面、回転表示画面など、各作業に対応する複数の表示画面を備えている。図７は、このうちのサムネイル表示画面７Ａを示す図である。
【００３３】
例えば、サムネイル表示画面７Ａ（図７）がスクリーン１１上に表示されているとして、このサムネイル表示画面７Ａが次画面に遷移されるまでに、操作信号検出部５１３が、Ｍｅｎｕキー２３６（図２）の操作信号を３回検出したとする。このとき、検出回数加算部５１６は、一時検出回数α＝１＋１＋１を計算し、算出された一時検出回数α＝３をＲＡＭ５２に記憶させる。
【００３４】
検出回数記録部５１７は、スクリーン１１上に表示されたある表示画面が次画面に遷移された際に、当該画面の機能説明テーブル６を更新し記録する。
具体的には、検出回数記録部５１７は、次画面に遷移する旨を示す画面遷移連絡を画像再生ビューア表示部５１５１から取得すると、ＦＲＯＭ５２に格納された当該画面の機能説明テーブル６を呼出す。
そして、検出回数記録部５１７は、当該機能説明テーブル６に記録されたある操作キー２３の検出回数Ｎに、ＲＡＭ５３に記憶された当該操作キー２３の一時検出回数αを加算して、新たな検出回数Ｎを算出する。そして、この新たな検出回数Ｎを前記機能説明テーブル６に記録する。
【００３５】
例えば、スクリーン１１上にサムネイル表示画面７Ａ（図７）が表示されている際に、Ｍｅｎｕキー２３６（図２）の操作信号が３回検出されて、次画面に遷移された場合を考える。
このとき、ＲＡＭ５２には、検出回数記録部５１７により一時検出回数α＝３が記憶されている。また、サムネイル表示画面７Ａの機能説明テーブル６Ａ（図４）には、これまでのＭｅｎｕキー２３６の検出回数ＮＭ＝７が記録されている。
画面遷移連絡の取得後、検出回数記録部５１７は、一時検出回数α、および、検出回数ＮＭを用いて、Ｍｅｎｕキー２３６の新たな検出回数ＮＭ＝ＮＭ＋α、つまり、１０＝７＋３を算出する。さらに、検出回数記録部５１７は、この新たな検出回数ＮＭ＝１０を、サムネイル表示画面７Ａの機能説明テーブル６Ａ（図４）に記録する。
【００３６】
画像処理部５１１は、メモリカード３より入力する画像情報に対して、信号処理や描画処理等を行う。画像処理部５１１は、画像情報処理部５１４と、描画処理部５１５とを備えている。
画像情報処理部５１４は、前記画像情報に対して、ノイズ除去やガンマ補正等の信号処理を行う。
描画処理部５１５は、操作パネル１２，２１から出力された操作信号、および、ＣＰＵ５１内で行われる演算処理に応じて、前記画像情報に対し描画処理を行う。描画処理部５１５は、画像再生ビューア表示部５１５１と、機能説明表示部５１５２と、リモコンキー画像表示部５１５４とを備えている。
【００３７】
画像再生ビューア表示部５１５１は、ＦＲＯＭ５２に格納された画像再生ビューアプログラムを読取るとともに、液晶パネル制御部５４に画像再生ビューア７（図７）の表示を行うための制御信号を出力する。これにより、画像再生ビューア７の画像表示領域７１には、画像情報に基づく画像Ａが表示され、仮想キー表示領域７３には、数個の仮想キー７３１が表示される。
また、画像再生ビューア表示部５１５１は、スクリーン１１に表示された画像再生ビューア７のある表示画面を次画面に遷移させる際に、前述した検出回数記録部５１７に、画面を遷移させる旨を示す画面遷移連絡を出力する。
【００３８】
機能説明表示部５１５２は、画像再生ビューア７のある表示画面における操作キー２３の操作頻度序列に基づいて、当該表示画面中に表示される機能説明６２を取得する。
機能説明表示部５１５２は、序列設定部５１５３を備えており、この序列設定部５１５３が前記操作頻度序列を設定する。
なお、前記操作頻度序列とは、画像再生ビューア７のある表示画面において、操作頻度の低い操作キーから順に取得したものである。具体的には、序列設定部５１５３は、機能説明テーブル６に記録された検出回数Ｎを読取り、最も検出回数Ｎが少ない２つの操作キー２３を取得する。
【００３９】
例えば、サムネイル表示画面７Ａ（図７）がスクリーン１１上に表示されている場合には、序列設定部５１５３は、サムネイル表示画面７Ａの機能説明テーブル６Ａ（図４）を読取り、検出回数Ｎが最も少ない操作キーとしてＰｒｉｎｔキー６１１、２番目に少ない操作キーとしてＺｏｏｍキー６１２を取得する。
【００４０】
序列設定部５１５３により、当該表示画面において最も操作頻度が低い２つの操作キー６１が取得されると、機能説明表示部５１５２は、当該２つの操作キー２３に対応する機能説明６２を、機能説明テーブル６から取得する。さらに、機能説明表示部５１５２は、これら２つの操作キーの機能説明６２を表示するための制御信号を、液晶パネル制御部５４に出力する。
操作キーの機能説明６２は、図７に示すように、画像再生ビューア７の機能説明表示領域７５に表示される。
【００４１】
リモコンキー画像表示部５１５４は、機能説明テーブル６（図４）を参照して、当該機能説明テーブル６に記録された操作キー６１を有効操作キーとして取得する。そして、リモコンキー画像表示部５１５４は、取得した有効操作キーに基づいて、リモコンキー画像７４１を表示するための制御信号を液晶パネル制御部５４に出力する。
なお、このリモコンキー画像７４１は、図７に示すように、画像再生ビューア７のリモコンキー表示領域７４に表示される。
【００４２】
リモコンキー画像７４１とは、図２に示したリモートコントローラ２上で枠Ｂに囲まれた操作キー２３を、リモートコントローラ２上と同一のレイアウトで描写した図である。枠Ｂに囲まれた操作キー２３には、画像編集キー２３８、上下左右キー２３３、Ｅｎｔｅｒキー２３４、Ｍｅｎｕキー２３６、および、Ｅｘｉｔキー２３７が含まれる。
さらに、リモコンキー画像７４１では、有効操作キーに対応する有効操作キー画像７４２は黄色で、操作不可能である無効操作キーに対応する無効操作キー画像７４３は灰色で表示されている。
【００４３】
〔３．制御基板５の作用〕
図８は、制御基板５が実行する作用を説明するための図である。
本実施形態の制御基板５が行う操作補助処理について、図８に示されるフローチャートに基づいて説明する。
ここで、動作中のリアプロジェクタ１は、カードスロット１４にメモリカード３を接続している。さらに、ＣＰＵ５１は、画像再生ビューア７の起動を指示する操作信号に応じて、ＦＲＯＭ５２に格納された画像再生ビューアプログラムを呼出し、画像再生ビューア７の起動処理を開始している。
【００４４】
まず、ＣＰＵ５１を構成する画像処理部５１１が、画像再生ビューア７のサムネイル表示画面７Ａ（図７）を表示させるための画面表示処理を行う。
描画処理部５１５の機能説明表示部５１５２は、ＦＲＯＭ５２に格納されたサムネイル表示画面７Ａ（図７）の機能説明テーブル６Ａ（図４）を探索する（Ｓ１）。
機能説明テーブル６Ａが探索されると、序列設定部５１５３は、機能説明テーブル６Ａに記録された各操作キー６１の検出回数Ｎに基づいて、操作頻度序列を設定し、最も操作頻度が低い２つの操作キーとして、Ｐｒｉｎｔキー６１１およびＺｏｏｍキー６１２を取得する（Ｓ２）。
【００４５】
次に、機能説明表示部５１５２は、機能説明テーブル６Ａを参照して、序列設定部５１５３に決定された前記２つの操作キー６１１，６１２に対応する機能説明６２１，６２２を取得する。さらに、機能説明表示部５１５２は、取得した機能説明６２１，６２２の表示を、液晶パネル制御部５４に指示する（Ｓ３）。
【００４６】
次に、描画処理部５１５を構成するリモコンキー画像表示部５１５４は、機能説明テーブル６Ａを参照して、サムネイル表示画面７Ａにおける有効操作キーを取得する（Ｓ４）。
リモコンキー画像表示部５１５４は、取得した有効操作キーに基づいてリモコンキー画像７４１を形成し、形成したリモコンキー画像７４１の表示を、液晶パネル制御部５４に指示する（Ｓ５）。
【００４７】
画像処理部５１１が、このような画面表示処理を完了すると、リアプロジェクタ１のスクリーン１１には、サムネイル表示画面７Ａ（図７）が表示される。
このサムネイル表示画面７Ａでは、画像表示領域７１に、拡大された画像Ａが表示され、リモコンキー表示領域７４に、それぞれ異なる色で表示された有効操作キー画像７４２および無効操作キー画像７４３を含むリモコンキー画像７４１が表示され、機能説明表示領域７５に、Ｐｒｉｎｔキー２３９およびＺｏｏｍキー２４１の機能説明６２１，６２２が表示されている。
【００４８】
処理Ｓ６において、操作信号検出部５１３は、操作パネル１２，２１から出力される操作信号の入力を監視している。なお、ここでは、操作信号としてＺｏｏｍキー２４１（図２）に応じた拡大表示信号を取り上げる。
操作信号検出部５１３は、この拡大表示信号が検出されたか否かを判定している（Ｓ７）。拡大表示信号を検出しない場合、操作信号検出部５１３は、処理Ｓ６に戻り、操作信号の入力の監視を続行する。
【００４９】
一方、拡大表示信号を検出した場合、操作信号検出部５１３は、サムネイル表示画面７Ａ（図７）がスクリーン１１上に表示されている状態において、検出した拡大表示信号が処理可能か否かを判定する（Ｓ８）。
拡大表示信号を処理不可能と判定すると、操作信号検出部５１３は、処理Ｓ６に戻り、操作信号の入力の監視を続行する。
【００５０】
一方、拡大表示信号を処理可能と判定すると、操作信号検出部５１３は、拡大表示信号を検出した旨の連絡を、画像再生ビューア表示部５１５１、および、検出回数加算部５１６に出力する。
画像再生ビューア表示部５１５１は、前記連絡に応じて、次画面である拡大表示画面（図示省略）を表示させるための画面表示信号を、液晶パネル制御部５４に出力する。さらに、画像再生ビューア表示部５１５１は、次画面に遷移する旨を示す画面遷移連絡を検出回数記録部５１７に出力する。
【００５１】
検出回数加算部５１６は、前記拡大表示信号を検出した旨の連絡に応じて、拡大表示信号の一時検出回数αを加算する。すなわち、検出回数加算部５１６は、一時検出回数α＝α＋１の計算を行う（Ｓ９）。なお、一時検出回数αの初期値は、α＝０と設定されている。
そして、検出回数加算部５１６は、算出した新たな一時検出回数αを、ＲＡＭ５２に記憶させる（Ｓ１０）。
【００５２】
検出回数記録部５１７は、画像再生ビューア表示部５１５１から出力される前記画面遷移連絡の入力を監視しており（Ｓ１１）、画面遷移連絡が検出されたか否かを判定している（Ｓ１２）。画面遷移連絡を検出しない場合、操作信号検出部５１３は、処理Ｓ６に戻り、操作信号の入力の監視を続行する。
【００５３】
一方、画面遷移連絡を検出した場合、検出回数記録部５１７は、ＦＲＯＭ５２に格納されたサムネイル表示画面７Ａの機能説明テーブル６Ａ（図４）を呼出し、Ｚｏｏｍキー６１２のこれまでの検出回数ＮＺを取得するとともに、処理Ｓ１０でＲＡＭ５３に記憶させたＺｏｏｍキー２４１の一時検出回数αを用いて、ＮＺ＝ＮＺ＋αの計算を行う（Ｓ１３）。
さらに、検出回数記録部５１７は、算出した新たな検出回数ＮＺを、機能説明テーブル６Ａに記録する（Ｓ１４）。
その後、処理Ｓ１に戻り、機能説明表示部５１５２が、ＦＲＯＭ５２に格納された拡大表示画面の機能説明テーブル（図示省略）を探索する。
【００５４】
本実施形態によれば、操作者がリアプロジェクタ１を使用していくなかで検出される操作信号の検出回数が、機能説明テーブル６（図４）に種別ごとに記憶される。このため、機能説明テーブル６（図４）に記憶される検出回数は、随時更新されることになる。
さらに、この機能説明テーブル６（図４）に記憶された検出回数に基づいて操作キー２３の操作頻度序列が設定され、この操作頻度序列に基づいて操作キー２３の機能説明６２が取得される。この取得された機能説明６２は、スクリーン１１に表示される。すなわち、スクリーン１１には、操作者のこれまでの使用状況に即して、操作キー２３の機能説明６２が動的に変動して表示されることとなる。
従って、本発明によれば、操作者の使用状況に即した操作補助を提供することができるので、リアプロジェクタ１の操作性を向上させることができる。
【００５５】
さらに、操作頻度序列の上位から表示された操作キー２３の機能説明６２は、操作者が知りたい操作キー２３の機能説明６２と対応していると考えられる。このため、操作者は、次に行うべき操作を理解しやすくなる。従って、本発明によれば、効果的な操作補助を提供することができる。
【００５６】
また、例えば、操作頻度序列の上位から数個の操作キー２３の機能説明６２のみを表示することにより、機能説明６２がスクリーン１１上で占めるスペースを縮小することができる。言い換えれば、機能説明６２を表示するためにスクリーン１１上で許されたスペースが狭い場合であっても、そのスペースに、操作頻度序列の上位から数個の操作キー２３の機能説明６２を表示することによって、狭い表示スペースであっても有効な操作補助を提供することができる。
【００５７】
スクリーン１１には、操作頻度の少ない操作キー２３の機能説明６２が表示される。操作頻度の少ない操作キー２３とは、すなわち、操作者にとって操作経験の少ない操作キー２３であるので、操作者は、当該操作キー２３の機能を理解していない可能性が考えられる。これに対し、本発明では、操作者がその機能を理解していない可能性のある操作キー２３の機能説明６２を表示することから、操作者に対して有効な操作補助を提供することができる。従って、リアプロジェクタ１の操作性をより向上させることができる。
【００５８】
また、ＦＲＯＭ５２は、前記スクリーン１１に表示される表示画面毎に機能説明テーブル６（図４）を備えている。そして、表示画面が遷移する度に、次に表示される表示画面の機能説明テーブル６（図４）が探索され、探索された機能説明テーブル６（図４）に記憶されている検出回数に基づいて、操作キー２３の機能説明６２が取得されることになる。
従って、本発明では、表示画面の種別に応じた操作補助を提供することができる。すなわち、操作者に対し、より細かな操作補助を提供することができるので、リアプロジェクタ１の操作性をより向上させることができる。
【００５９】
説明記録テーブルは、スクリーン１１に表示される表示画面毎に設けられている。さらに、説明記録テーブルに記憶される各操作キー２３の検出回数の初期値は、当該説明記録テーブルに対応した表示画面における各操作キー２３の重要度に応じて設定されている。
そして、操作者がリアプロジェクタ１を使用していくうちに、各説明記録テーブルに記憶される検出回数は随時更新されていく。しかし、初期値を重要度に基づいて設定したことにより、使用初期において、各説明記録テーブルに記憶される検出回数には、重要度が反映される。
すなわち、操作者がリアプロジェクタ１の使用に慣れていない使用初期において、操作者にとって重要な操作キー２３の機能説明６２を、表示画面毎に表示することができる。従って、リアプロジェクタ１の使用初期において、その操作性をより向上させることができる。
【００６０】
さらに、スクリーン１１には、リモートコントローラ２上の操作キー２３のレイアウトに基づいたリモコンキー画像７４１が表示され、さらに、現在の表示画面において操作可能な操作キー２３が表示される。
このため、操作者は、スクリーン１１に表示されたリモコンキー画像７４１をもとに、リモートコントローラ２上の操作キー２３の配置を確認することができ、さらに、リモートコントローラ２上の操作キー２３のうち操作可能な操作キー２３を把握することができる。
従って、操作者に対し、リモートコントローラ２上の操作キー２３を操作させやすくすることができる。
【００６１】
制御基板５による操作補助処理は、操作補助プログラムを包括する画像再生ビューアプログラムに従って実行される。この操作補助プログラムを任意のリアプロジェクタ１にインストールすることで、前記した作用および効果を享受できるリアプロジェクタ１とすることができるので、汎用性を拡大することができる。
【００６２】
この操作補助プログラムを記録媒体に記録させてもよい。このような記録媒体によれば、記録した操作方法補助プログラムをコンピュータに実行させることで、前述した作用および効果を享受できる。
なお、記録媒体として、ＲＯＭ（Read Only Memory）、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等が挙げられる。
【００６３】
〔４．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００６４】
本発明では、前記実施形態のリアプロジェクタ１にプリンタを内蔵、または、電気的に接続させると、画像再生ビューア７（図７）に表示された画像Ａを印刷出力させることができる。
また、前記実施形態では、画像再生ビューア７の機能説明表示領域は、周囲のメニュー表示領域７２とは別ウィンドウの領域としてもよい。このようにすれば、機能説明表示領域のウィンドウにスクロールバーを付加することによって、機能説明表示領域を拡大させることができる。従って、操作キー２３の機能説明６２をより多く表示することができる。
【００６５】
前記実施形態では、ＣＰＵ５１に画像処理部５１１が設けられるとしたが、本発明では、画像処理部５１１を、ＣＰＵ５１とは別の半導体集積回路として構成してもよい。
前記実施形態では、リアプロジェクタ１の電源が落とされても、ＦＲＯＭ５１に格納された機能説明テーブル６は、その状態を保存されるとした。しかし、本発明では、リアプロジェクタ１の電源が落とされたまま一定期間（例えば、１週間）経過した場合、次に電源が投入された際に、機能説明テーブル６に対し初期化処理を行ってもよい。
【００６６】
操作者がリアプロジェクタ１を使用しないまま一定期間過ぎると、操作者は、リアプロジェクタ１の操作を忘れてしまう恐れがある。この場合、操作者の以前の操作頻度に基づいた操作補助を行っても、操作を教える効果はあまり望めない。しかし、上述のような構成によれば、機能説明テーブル６を初期化することで、制御基板５が行う操作補助処理を、リアプロジェクタ１の初期の操作に適したものにすることができる。
【００６７】
前記実施形態に示すリアプロジェクタ１は、特に述べていないが、チューナ等を備えたテレビジョン受信装置であってもよい。
また、本発明では、画像表示装置として、ＣＲＴ（Cathode Ray Tube）ディスプレイ、プラズマディスプレイ、液晶ディスプレイ、モニタ付ディジタルカメラ、および、モニタ付プリンタ、モニタ付音楽再生装置等を採用してもよい。
前記実施形態では、画像情報は、カードスロット１４に接続されたメモリカード３から入力されるとしたが、本発明では、フロッピー（登録商標）ディスク等の磁気ディスク装置、ＣＤ−ＲＡＭ等の光ディスク装置の他に、ＤＶＤプレイヤ等の再生装置から入力されるものであってもよい。
【産業上の利用可能性】
【００６８】
本発明は、リアプロジェクタに限らず、モニタを備えるディジタルカメラおよびオーディオ機器等に利用することができる。
【図面の簡単な説明】
【００６９】
【図１】本発明の一実施形態に係るリアプロジェクタの外観構成を示す模式斜視図。
【図２】前記実施形態に係るリモートコントローラを示す模式平面図。
【図３】前記実施形態に係るリアプロジェクタの内部構成を示すブロック図。
【図４】前記実施形態に係るサムネイル表示画面の機能説明テーブルを説明するための模式図。
【図５】初期化状態の前記機能説明テーブルを説明するための模式図。
【図６】本発明の一実施形態に係るＣＰＵの構成を示すブロック図。
【図７】前記実施形態に係る画像再生ビューアのサムネイル表示画面を示す図。
【図８】前記実施形態に係る制御基板の作用を説明するためのフロー図。
【符号の説明】
【００７０】
１…リアプロジェクタ（画像表示装置）、１３，２３…操作キー、２…リモートコントローラ（操作手段）、４…光学エンジン（画像表示手段）、５…制御基板、５１２…検出回数処理部、５１３…操作信号検出部、５１５２…機能説明表示部、５１５３…序列設定部、５１５４…リモコンキー画像表示部、５１６…検出回数加算部、５１７…検出回数記録部、５２…ＦＲＯＭ（記憶部）、５３…ＲＡＭ、６，６Ａ，６Ｂ…機能説明テーブル、６２…機能説明、７…画像再生ビューア、７Ａ…サムネイル表示画面、７４１…リモコンキー画像、７４２…有効操作キー画像、７４３…無効操作キー画像、Ａ…画像、Ｎ，Ｎ０，ＮＭ，ＮＺ…検出回数、α…一時検出回数
【図１】
2006323603.tif 000003
【図２】
2006323603.tif 000004
【図３】
2006323603.tif 000005
【図４】
2006323603.tif 000006
【図５】
2006323603.tif 000007
【図６】
2006323603.tif 000008
【図７】
2006323603.tif 000009
【図８】
2006323603.tif 000010